(57)【特許請求の範囲】
【請求項１】
所定の間隔で設けられた根太の上に、複数の板材がそれぞれの板材間に通気が生じる程度の隙間を設けて敷き並べられた荒床と、
該荒床の上に敷きつめられる畳と、を有する和室床構造であって、
透湿性と気流の遮断性を有したシート部材が前記板材の上に敷設され、該シート部材の上に前記畳が敷きつめられており、
前記畳が敷きつめられる領域の端縁では、前記シート部材が前記板材と前記畳との間から連続し、前記畳の端面と対向するように設けられた畳寄の下側に進入し、該畳寄の下側で反転して該畳寄の下側から引き出され、前記畳寄の前記畳の端面と対向する面に沿って鉛直方向に立ち上げられ、
前記シート部材の立ち上げられた部分の上端部は、前記畳の表面より下方の位置で前記畳寄に粘着テープで固定されていることを特徴とする和室床構造。
【請求項２】
前記シート部材の透湿抵抗値は０．１９ｍ2・ｓ・Ｐａ／μｇ以下であり、防風性が１０ｓ以上であることを特徴とする請求項１に記載の和室床構造。
【請求項３】
既存木造建築物の和室床の気密性を向上させる気密改修方法であって、
複数の板材がそれぞれの板材間に通気が生じる程度の隙間を設けて敷き並べられている荒床上に、透湿性と気流の遮断性を有するシート部材を敷設し、
該シート上に畳を敷きつめるものとし、
前記シート部材は、前記畳が敷きつめられる領域の端縁で、前記板材の上面に沿った位置から連続し、前記畳の端面と対向するように設けられた畳寄の下側に進入させ、該畳寄の下側で反転して該畳寄の下側から引き出し、前記畳寄の前記畳の端面と対向する面に沿って鉛直方向に立ち上げ、
前記シート部材の立ち上げられた部分の上端部を、前記畳の表面より下方の位置で前記畳寄に粘着テープで固定することを特徴とする和室床の気密改修方法。
【発明の詳細な説明】
【技術分野】
【０００１】
本願発明は、通気を制限するとともに、湿気を床下に排出することが可能となる和室床構造及び和室床の気密改修方法に関するものである。
【背景技術】
【０００２】
近年、低炭素社会に向けて二酸化炭素の排出量の削減が要請されており、住宅においても二酸化炭素の排出量を低減できる省エネルギー住宅の建築が推進されている。新築住宅に関しては、気密化の促進又は断熱性能の向上等による省エネルギーを目的とした住宅が多く建築されている。しかし、旧来の住宅に関しては、断熱性又は気密性が低いために暖房や冷房のエネルギー効率が悪い住宅が多く存在している。特に、畳が敷き詰められた和室では、床部分の気密性が低くなっているものが多い。
【０００３】
このような和室の気密改修方法が、例えば非特許文献１に提案されている。これは、通気を許容するように根太の上面に間隔を空けて荒床板が敷き並べられ、この荒床上に畳を敷きつめた既存木造住宅の和室について改修を行うものであり、荒床板を合板に替えるとともに合板のジョイントに気密テープを張って合板間の隙間を塞ぐものである。また、荒床板と敷居間等の隙間に断熱材を充填する等の気密改修方法も提案されている。
【先行技術文献】
【非特許文献】
【０００４】
【非特許文献１】国土交通省  国土技術政策総合研究所、独立行政法人  建築研究所監修  「既存住宅の省エネ改修ガイドライン」  財団法人建築環境・省エネルギー機構  平成２２年７月６日発行
【発明の概要】
【発明が解決しようとする課題】
【０００５】
しかしながら、上記のように合板間の隙間や畳と敷居間の隙間を閉塞すると気密性は向上するが、床から湿気を屋外に排出することができず、室内と屋外との温度差により畳の裏に結露を生じやすくなる。また、既存住宅の改修においては、短時間で改修を終了することにより当該住宅に住んでいる居住者の肉体的及び精神的負担を軽減することが望まれる。
【０００６】
本願発明は、上記のような事情に鑑みてなされたものであり、その目的は、簡易かつ短時間の施工で、室内と屋外との間の通気を抑制するとともに湿気の床下への排出を可能とする和室床構造及び和室床の気密改修方法を提供することである。
【課題を解決するための手段】
【０００７】
上記課題を解決するために、請求項１に係る発明は、  所定の間隔で設けられた根太の上に、複数の板材がそれぞれの板材間に通気が生じる程度の隙間を設けて敷き並べられた荒床と、  該荒床の上に敷きつめられる畳と、を有する和室床構造であって、  透湿性と気流の遮断性を有したシート部材が前記板材の上に敷設され、該シート部材の上に前記畳が敷きつめられており、  前記畳が敷きつめられる領域の端縁では、前記シート部材が前記板材と前記畳との間から連続し、前記畳の端面と対向するように設けられた畳寄の下側に進入し、該畳寄の下側で反転して該畳寄の下側から引き出され、前記畳寄の前記畳の端面と対向する面に沿って鉛直方向に立ち上げられ、  前記シート部材の立ち上げられた部分の上端部は、前記畳の表面より下方の位置で前記畳寄に粘着テープで固定されていることを特徴とする和室床構造を提供する。
【０００８】
この和室床構造は、隙間を設けて敷き並べられた板材上にシート部材が敷設されているので、板材間に生じる通気を制限することができる。また、畳の下側から連続して畳寄に沿って鉛直方向に立ち上げられて畳寄に固定されるので、和室の周縁部つまり敷きつめられた畳と畳寄との隙間に生じる通気を制限することができる。したがって、暖房時には床下からの冷気の和室内への侵入及び暖められた室内空気の床下への流出を低減することができる。また、冷房時には暖気の侵入及び冷気の流出を低減することができる。
さらに、シート部材が透湿性を有しており、畳の下面から湿気を床下に排出することができ、結露を抑制するとともに、結露が生じても湿気が畳の下側に滞留するのを低減することができる。
【０００９】
また、この和室床構造では、和室の周縁部に設けられた畳寄と板材との隙間にシート部材がループ状にして押し入れられており、シート部材が板材上で水平方向に移動するのが許容される。したがって、畳を敷き並べるとき等において、シート部材が畳とともに水平方向に移動しても、シート部材及びシート部材が畳寄に固定された部分に引張力が作用するのを抑制することができる。これにより、シート部材による通気の抑制が損なわれるのを防止することができる。
【００１０】
請求項２に係る発明は、請求項１に記載の和室床構造において、  前記シート部材の透湿抵抗値は０．１９ｍ2・ｓ・Ｐａ／μｇ以下であり、防風性が１０ｓ以上であるものとする。
【００１１】
この和室床構造のシート部材は、透湿抵抗値及び防風性が調整されたものである。
透湿抵抗とは水蒸気を透過する程度をいい、透湿抵抗値が高いほど湿気を通しにくく、透湿抵抗値が小さいほど湿気を通しやすくなる。一方、防風性とは、透気抵抗度のことであり、単位面積、単位圧力差あたりの規定された体積の空気が通過する時間で示され、数値が大きいほど防風性が高いことを示すものである。
したがって、透湿抵抗値の上限と防風性の下限を調整したシート部材を畳の下の隙間を塞ぐように敷設することにより、床下からの外気の和室内への侵入や和室内の空気の床下への流出を抑制するとともに、湿気の床下への排出を可能とする。これにより、和室の気密性を向上させるとともに畳の裏面の結露を抑制することが可能となる。
【００１２】
請求項３に係る発明は、  既存木造建築物の和室床の気密性を向上させる気密改修方法であって、  複数の板材がそれぞれの板材間に通気が生じる程度の隙間を設けて敷き並べられている荒床上に、透湿性と気流の遮断性を有するシート部材を敷設し、  該シート上に畳を敷きつめるものとし、  前記シート部材は、前記畳が敷きつめられる領域の端縁で、前記板材の上面に沿った位置から連続し、前記畳の端面と対向するように設けられた畳寄の下側に進入させ、該畳寄の下側で反転して該畳寄の下側から引き出し、前記畳寄の前記畳の端面と対向する面に沿って鉛直方向に立ち上げ、  前記シート部材の立ち上げられた部分の上端部を、前記畳の表面より下方の位置で前記畳寄に粘着テープで固定することを特徴とする和室床の気密改修方法を提供する。
【００１３】
この気密改修方法では、シート部材を板材上に敷設した後、畳の下側となる部分から連続して畳寄に沿って鉛直方向に立ち上げ、畳寄に固定するので、板材間の隙間及び畳と畳寄との間の隙間等を通る通気を制限し、床下からの外気の和室内への侵入及び室内空気の床下への流出を低減することが可能となる。したがって、空気調和のためのエネルギー効率を向上させることとなり二酸化炭素の排出量を低減することができる。また、湿気を畳の下面から床下に排出することができ、屋外と室内の温度差による結露を抑制するともに、結露が生じても畳の下に湿気が滞留するのを低減することが可能となる。
さらに、この気密改修方法は、短時間の作業及び低廉なコストで改修工程が終了するので、居住者の負担が軽減されるとともに低費用による良好な効果が得られる。
【発明の効果】
【００１４】
以上説明したように、本願発明に係る和室床構造及び気密改修方法では、簡易かつ短時間の作業で、和室内への外気の侵入又は和室内の空気の床下への流出を制限し、暖房等のエネルギー効率を向上させることが可能となる。また、湿気の床下への排出が可能となり、和室の気密性の向上及び室内と屋外との温度差により生じる結露の抑制を両立させることができる。
【図面の簡単な説明】
【００１５】
【図１】本願発明の一実施形態である和室床構造を備えた和室の一部を示す概略斜視図である。
【図２】本願発明の一実施形態である和室床構造の概略断面図である。
【図３】本願発明の一実施形態である和室床構造の敷居が設けられた部分の概略断面図である。
【図４】図２又は図３に示す和室床構造における和室の周縁部の柱が設けられた部分を示す概略断面図である。
【図５】本願発明の他の実施形態である和室床構造を示す概略断面図である。
【図６】改修前の和室床構造を示す概略断面図である。
【発明を実施するための形態】
【００１６】
以下、本願発明の実施の形態を図に基づいて説明する。
図１は本願発明の一実施形態である和室床構造を備えた和室の一部を示す概略斜視図であり、図２は部分断面図である。
この和室床構造では、図１及び図２に示すように、基礎１の上に支持された土台２又は大引３に根太４が支持され、この根太４の上に板材である荒床板５を通気が損なわれない程度の隙間を空けて敷き並べられている。そして、この荒床板５と根太４とによって形成された荒床の上に透湿性及び気流の遮断性を備えたシート部材６を敷設し、このシート部材６の上に畳７が敷きつめられている。
【００１７】
上記根太４は、土台２又は大引３の上に載せ掛けるように支持され、所定の間隔で配置されている。そして、荒床板５は根太４の上に敷き並べられて固定され、複数の荒床板５間に１ｍｍから１５ｍｍ程度の隙間が設けられている。そして、部屋の端縁では荒床板５が壁面８ａより壁８の中心側にまで突き入れられている。
【００１８】
本実施形態の和室の壁８は、柱９の壁厚方向の寸法内で仕上がるいわゆる真壁仕様となっており、壁面８ａが室内１７に対して柱９の面より後退した位置となっている。壁８の下方には畳の端面と対向する畳寄１０が設けられており、この畳寄１０の側面と柱９の側面とはほぼ同一の鉛直面上に位置するものとなっている。したがって、畳７の端面が畳寄１０の側面に当接するように敷き詰められたときに、柱９が設けられた位置では畳７が柱９に当接している。また、襖１１や障子（図１には図示していない）が設けられる部分では、図３に示すように、柱間に敷居１２が配置され、畳７の端面はこの敷居１２の側面に対向するものとなっている。
【００１９】
上記畳寄１０は、上面の高さが敷き詰められた畳７の上面の高さとほぼ一致するように設けられており、畳寄１０の下面と荒床板５の上面との間には隙間１３が形成されている。また、敷居１２も上面が畳７の上面とほぼ同じ高さとなるように調整して設置されており、敷居１２の下面と荒床板５の上面との間には隙間１４が生じている。
なお、壁面材は上記畳寄１０の上面に下端縁を当接し、柱９もしくは間柱又はこれらの間に取り付けられた胴縁等に固定される。
【００２０】
上記シート部材６は、ポリエチレンの極細長繊維をランダムに積層した不織布で形成されており、透湿性及び気流の遮断性を備えたものである。
このシート部材６は、上記荒床板５の上の畳７が敷きつめられる全領域に敷設される。そして、和室の周縁部つまり畳７が敷きつめられる範囲の端縁では、図２に示すように荒床板５と畳寄１０との隙間１３に、畳７の下側から連続するシート部材６がループ状に曲折して押し込まれている。ループ状となった上側は、隙間１３から引き出されたところで、畳寄１０の側面に沿って鉛直方向に立ち上げられている。つまり、シート部材６は畳７が敷き詰められた和室内の領域から連続して  荒床板５と畳寄１０との隙間１３に入り込み、畳寄１０の下側で反転して隙間１３から引き出されて畳寄１０の側面に沿って鉛直方向に曲げ上げられる。曲げ上げられたシート部材６の上端部は、畳寄１０の側面に粘着テープ１５で固定されている。
なお、シート部材６の立ち上げられた上端部の位置は、畳７の表面よりも下方となっており、畳７が敷かれた室内からは見えないようになっている。
【００２１】
敷居１２が設けられた周縁部では、図３に示すように、敷居１２と荒床板５との隙間１４に、畳寄１０と荒床板５との隙間１３と同様にシート部材６がループ状にして押しいれられており、隙間１４から引き出されたシート部材の端縁が敷居１２の側面に固定されている。
また、柱９が設けられた位置では、畳寄１０又は敷居１２が設けられた範囲との境界位置に、畳寄１０又は敷居１２の軸線と直角方向の切り込みがシート部材６に設けられる。この切り込みで切り分けられた部分６ａが、図４に示すように柱９の側面に沿って鉛直方向に折りたたまれ、上端縁が柱９の側面に固定されている。
【００２２】
上記シート部材６としては、透湿抵抗値が０．１９ｍ2・ｓ・Ｐａ／μｇ以下で、かつ防風性が１０ｓ以上であるものを用いるのが望ましい。上記のような透湿抵抗値の上限と防風性の下限が調整されたものであれば、床下１６から外気が和室内へ侵入するのを制限して、空気調和のための効率を著しく劣化させない程度にすることができるとともに、畳７の裏面に結露による障害が生じない程度の透湿性を備えたものとなる。
なお、上記透湿抵抗値はＪＩＳ  Ａ  １３２４に規定されたカップ法により測定したものであり、上記防風性はＪＩＳ  Ｐ  ８１１７に規定された試験方法により測定したものである。
【００２３】
このようなシート部材６は、ポリエチレン以外にもポリプロピレン等からなる繊維をシート状にして形成することもできる。また、本実施の形態に係るシート部材６に限定されるものではなく、透湿抵抗値及び防風性が調整されたものであれば他のシート部材を用いることもできる。例えば、透湿防水シートとして市販されている旭・デュポンフラッシュスパンプロダクツ株式会社製、商品名「タイベック  ハウスラップ」等を使用することができる。このような透湿防水シートは、建築物の外壁に設けられる通気層の内側に貼付され、湿気を外壁から屋外に排出するとともに、雨水等の侵入を防ぐものとして用いることができるものである。
【００２４】
畳７は上記のようにシート部材６が敷設された上に敷き詰められており、和室の周縁部における畳７の端面は、畳寄１０、敷居１２又は柱９の側面と対向している。しかし、畳７の端面は正確に平坦な面とはなっておらず、畳と畳との間及び畳と畳寄との間には通気が生じる程度の隙間が生じている。
【００２５】
このような和室床構造において、荒床板５間の隙間又は壁８の下部を通り、上記畳７と畳７との間又は畳７と畳寄１０との間を経て生じる通気がシート部材６によって制限されている。つまり、図２中の矢印Ａで示すように床下１６から根太４の間を通って壁８内に入り、荒床板５と畳寄１０との隙間１３及び畳の端面と畳寄１０との間を通って室内１７に至る通気が、畳７の下側から連続して畳寄１０の側面に固定されたシート部材６によって遮蔽される。また、荒床板５の隙間１８から畳７の端面と隣り合う畳７の端面との隙間を通って室内１７に至る通気が、畳７の下面と荒床板５との間に介挿されたシート部材６によって制限される。
また、シート部材６は透湿性を有するものであることにより、畳７の下側の湿気を床下１６に排出することができる。したがって、室内１７で暖房を使用することにより屋外と室内とで気温差が生じたときに、畳７の下側で結露が生じるのを抑制するととともに、結露が発生した場合にも、荒床板５間の隙間１８から湿気を床下１６に排出することができる。
さらに、畳寄１０又は敷居７の下側の隙間にシート部材６が押し入れられることにより、シート部材６はゆとりをもって敷設されることとなる。これにより、シート部材６に引張力が作用することが抑制される。
【００２６】
次に、上記シート部材６を用いて和室床の気密性を改修する方法を説明する。
この気密改修方法は、既存木造建築物の和室の気密性を向上させるとともに、結露による障害の発生を抑制するものであり、特に、図６に示すように根太４の上に荒床板５を配列した荒床を有する床構造を、上記シート部材６を用いた和室床構造に改修するものである。
改修前の床構造は、基礎１上の土台２又は大引に根太４が支持され、この上に荒床板５が隙間を設けて配列されている。そして、この上に畳７が敷き並べられている。このような床構造では、図６中に矢印Ｂで示すように、荒床板５の隙間１８及び畳７と隣接する畳７との隙間に生じる通気や、図６中に矢印Ｃで示すように、床下１６から根太４の間を通り、壁内から荒床板５と畳寄１０との隙間１３を経て室内１７に至る通気が生じ易くなっている。
【００２７】
このような既存木造構造物の和室床の改修は次のような工程で行うことができる。
まず、和室に敷かれている畳７を上げ、荒床板５の上を清掃して畳７が敷きつめられる領域に前述のシート部材６を敷設する。シート部材６は、幅１ｍ程度としてロール状に巻かれたものを使用することができる。このようなロール状のシート部材を用いるときには、和室の荒床上の全域を覆うようにシート部材を敷き並べ、幅１ｍのシート部材が互いに隣り合う部分では双方のシート部材を１００ｍｍ程度重ね合わせる。そして、荒床の周縁部では、畳７が敷き詰められる範囲の周縁より、上方に立ち上げられる部分の長さを確保して切断する。つまり、畳寄１０や敷居１２等の下側の隙間１３，１４内に押し込むシート部材６の長さ、及びシート部材６を畳寄１０や敷居７の側面に沿って立ち上げる長さを考慮して切断する。
【００２８】
畳寄１０や敷居１２等が設けられている範囲は、上記シート部材６の端部をループ状にして畳寄１０、敷居１２等の下側の隙間１３，１４に押し込み、ループ状となった上側のシートを隙間１３，１４から引き出して畳寄１０、敷居１２等の側面に沿って上方に立ち上げる。この立ち上げた上端部１１ａを畳寄１０又は敷居１２の側面に粘着テープ１５で固定する。固定するシート部材６の上端縁は、畳７の上面より低い位置とし、畳７を敷き詰めたときにシート部材６が見えないようにする。上記粘着テープ１５で固定することにより、シート部材６の外側つまりシート部材６と畳寄１０との間から室内１７へ通気が生じるのを遮断する。
【００２９】
畳寄１０や敷居１２の下側にこれらを支持する部材等が設けられて、畳寄１０や敷居１２の下側にシート部材６を押し入れることができない部分では、当該部分の両側に畳寄１０や敷居１２の軸線と直角方向の切り込みを設け、畳寄１０や敷居１２の下側に押し入れることができる範囲と分けて上方に立ち上げ、上端部を同様に固定する。
また、畳８の端面が柱９と対向する部分でも同様に柱９の位置の両側に切り込みを設け、畳寄１０や敷居１２が設けられた範囲と分けて、図４に示すようにシート部材６の端部を立ち上げ、柱９の側面に固定する。
上記のように切り込みを設けた部分では、この部分から通気が生じるのを防ぐように、粘着テープ等でシート部材６を柱等に貼り付けるのが望ましい。
【００３０】
このようにして、畳７が敷かれる全領域にシート部材６を敷き並べた後、シート部材６の重ね合わせた部分をタッカー等で荒床板５に打ち付け、重ね合わせた部分からの通気を防ぐ。そして、敷設されたシート部材６の上に畳７を敷き並べて改修を完了する。
【００３１】
なお、本願発明は上述の実施の形態に限定されるものではなく、本願発明の範囲内で他の形態として実施することもできる。
例えば、本実施の形態では、真壁仕様の和室床構造及び気密性改修方法を説明したが、図５に示すように、壁２８を柱２９の壁厚方向の範囲外で仕上げる大壁仕様、つまり壁面が柱２９の側面より室内側となった和室にも適用することができる。
大壁仕様の和室の場合は、壁２８の下方に設けられた畳寄３０が柱２９の室内に面した側面より室内３７側に突き出して設けられる点で真壁仕様と異なっているが、畳寄３０や敷居（図５には図示しない）の下方には多くの場合に隙間３３がある点では真壁仕様と同様である。したがって、畳２７と荒床板２５との間にシート部材２６を敷設するとともに、真壁仕様と同様に畳寄３０の下側の隙間３３にはシート部材２６をループ状にして押し込み、畳寄３０の鉛直面に沿って立ち上げられた部分の上端縁を畳寄３０に粘着テープ３５で固定することができる。
【００３２】
また、床の間や飾り棚等が設けられた和室の場合にも、本発明の和室床構造及び気密改修方法を採用することができる。
床の間や飾り棚は多様なものがあるが、床の間又は飾り棚が設けられた位置でも畳７、２７の端面と対向する部分には、畳７，２７の端縁に沿って横方向の部材が設けられ、畳の端面がこの部材の鉛直面と対向するものとなる。したがって、この部分でもシート部材６，２６を畳７，２７の下側から畳の端面と対向する鉛直面に沿って立ち上げ、畳７，２７の上面より下方で室内から見えないように固定することができる。
【符号の説明】
【００３３】
１，２１：基礎、    ２，２２：土台、    ３：大引、    ４，２４：根太、    ５，２５：荒床板、    ６，２６：シート部材、    ７，２７：畳、    ８，２８：壁、    ９，２９：柱、    １０，３０：畳寄、    １１：ふすま、    １２：敷居、    １３，１４，３３：隙間、    １５，３５：粘着テープ、    １６，３６：床下、    １７，３７：室内、    １８：荒床板の隙間
【図１】
0005753693.tif 000002
【図２】
0005753693.tif 000003
【図３】
0005753693.tif 000004
【図４】
0005753693.tif 000005
【図５】
0005753693.tif 000006
【図６】
0005753693.tif 000007